(57)【要約】【課題】  局間のホットライン接続であっても一方の構内交換機にのみホットライン接続機能を組み込めば足りるようにする。【解決手段】  テーブルＡ１３はホットライン接続元の電話機ａ２へ発信するためのアクセス番号対応にホットライン接続先の電話機ａ３，ｂ１へ発信するためのアクセス番号を記憶する。手段Ａ１２１は、電話機ａ１からホットライン設定用特番，ホットライン接続元の電話機へ発信するためのアクセス番号およびホットライン接続先の電話機へ発信するためのアクセス番号を受信すると、電話機ａ１から電話機ａ２への接続を回線スイッチ部に要求して呼び出し、電話機ａ２が応答するとホットライン接続先の電話機へ発信するためのアクセス番号をテーブルに書き込む。手段Ａ１２２は電話機ａ２からの発呼があると、テーブルからホットライン接続先の電話機への接続を回線スイッチ部に要求する。【選択図】        図１
2005333346.tif 000002
【特許請求の範囲】
【請求項１】
ホットライン接続元の電話機へ発信するためのアクセス番号対応に、ホットライン接続先の電話機へ発信するためのアクセス番号を記憶するためのホットライン用テーブルと、
電話機間の切替え接続を行う回線スイッチ部と、
収容しているホットライン設定電話機から、ホットライン設定用特番，ホットライン接続元の電話機へ発信するためのアクセス番号およびホットライン接続先の電話機へ発信するためのアクセス番号を受信すると、前記ホットライン設定電話機から前記ホットライン接続元の電話機への接続を前記回線スイッチ部に要求して呼び出し、該電話機が応答すると前記ホットライン接続先の電話機へ発信するためのアクセス番号を前記ホットライン用テーブルに書き込むホットライン接続設定手段と、
前記ホットライン接続元の電話機からの発呼があると、前記ホットライン用テーブルからホットライン接続先の電話機へ発信するためのアクセス番号を読み出して前記ホットライン接続元の電話機から前記ホットライン接続先の電話機への接続を前記回線スイッチ部に要求するホットライン接続先発信手段とを備えたことを特徴とする構内交換機。
【請求項２】
前記構内交換機に収容しているホットライン解除電話機から、ホットライン解除用特番およびホットライン接続元の電話機へ発信するためのアクセス番号を受信すると、前記ホットライン解除電話機から前記ホットライン接続元の電話機への接続を前記回線スイッチ部に要求して呼び出し、該電話機が応答すると前記ホットライン接続先の電話機へ発信するためのアクセス番号を前記ホットライン用テーブルから削除するホットライン接続解除手段を備えたことを特徴とする請求項１構内交換機。
【請求項３】
ホットライン接続元の電話機へ発信するためのアクセス番号対応に、ホットライン接続先の電話機へ発信するためのアクセス番号を記憶するためのホットライン用テーブルを構内交換機に設ける段階と、
前記構内交換機に収容しているホットライン設定電話機からダイヤルされたホットライン設定用特番，ホットライン接続元の電話機へ発信するためのアクセス番号およびホットライン接続先の電話機へ発信するためのアクセス番号を受信すると、前記ホットライン設定電話機から前記ホットライン接続元の電話機への接続を回線スイッチ部に要求する段階と、
前記要求に応じて呼び出された前記ホットライン接続元の電話機が応答すると、前記ホットライン接続先の電話機へ発信するためのアクセス番号を前記ホットライン用テーブルに書き込む段階と、
前記ホットライン接続元の電話機からの発呼があると、前記ホットライン用テーブルからホットライン接続先の電話機へ発信するためのアクセス番号を読み出して前記ホットライン接続元の電話機から前記ホットライン接続先の電話機への接続を前記回線スイッチ部に要求する段階とを有することを特徴とするホットライン接続方法。
【請求項４】
前記構内交換機に収容しているホットライン解除電話機から、ホットライン解除用特番およびホットライン接続元の電話機へ発信するためのアクセス番号を受信すると、前記ホットライン解除電話機から前記ホットライン接続元の電話機への接続を前記回線スイッチ部に要求する段階と、
前記要求に応じて呼び出された前記ホットライン接続元の電話機が応答すると、前記ホットライン接続先の電話機へ発信するためのアクセス番号を前記ホットライン用テーブルから削除する段階とを有することを特徴とする請求項３に記載のホットライン接続方法。
【発明の詳細な説明】
【技術分野】
【０００１】
本発明は、構内交換機に収容されている電話機から他の電話機へのホットライン接続に関する。
【背景技術】
【０００２】
従来、局間ホットライン接続に関する技術として、局間ホットライン接続の設定または解除を一般の利用者端末からの操作から行うことができ、ホットライン接続未使用時には一般電話用として使用できるようにしたものが知られている（例えば、特許文献１参照）。この方式では、ホットライン接続の情報を取得する必要があるため、ホットライン接続元電話機を収容している交換機と、ホットライン接続先電話機を収容している交換機の双方に、局間ホットライン制御のための専用接続管理テーブルを備えている。
【０００３】
また、局内ホットライン接続に関する技術として、ホットライン接続元電話機が設定操作することにより、局内の電話機をホットライン接続先端末としてホットライン接続情報を設定することができ、また予め登録されたホットライン接続情報を抹消する操作がホットライン接続元電話機の発呼前に行われた場合、ホットライン接続情報を抹消することを優先して行うことができるものが知られている（例えば、特許文献２参照）。この方法では、ホットラインの設定または解除を行うことができる端末は、ホットライン設定元電話機のみである。
【０００４】
【特許文献１】特開平１０−６５８０９号公報（第１頁、図１）
【特許文献２】特開昭６３−９７０４９号公報（第１頁、図１）
【発明の開示】
【発明が解決しようとする課題】
【０００５】
しかしながら、特許文献１記載の技術では、局間ホットライン接続時に専用接続管理テーブルを読み出す必要があるため、ホットライン接続元電話機を収容している交換機とホットライン接続先電話機を収容している交換機の双方に当技術を適用する必要があるので、技術の適用範囲が制限されるという問題点がある。
【０００６】
また、特許文献２記載の技術では、ホットライン接続元の電話機からのみホットライン接続の設定または解除をすることができるので、ホットライン接続を設定または解除できる電話機以外の電話機をホットライン接続元の電話機として指定できないし、ホットライン接続を設定または解除するためには、ホットライン接続の設定または解除操作が制約されるという問題点がある。
【０００７】
そこで、本発明の第１の目的は、局間のホットライン接続であっても、一方の構内交換機にのみホットライン接続機能を組み込めば足りる構内交換機およびホットライン接続方法を提供することにある。
【０００８】
また、本発明の第２の目的は、ホットライン接続元の電話機を任意に指定できる構内交換機およびホットライン接続方法を提供することにある。
【課題を解決するための手段】
【０００９】
請求項１記載の発明は、ホットライン接続元の電話機（図１のａ２）へ発信するためのアクセス番号対応に、ホットライン接続先の電話機（図１のａ３，ｂ１）へ発信するためのアクセス番号を記憶するためのホットライン用テーブル（図１のＡ１３）と、電話機間の切替え接続を行う回線スイッチ部（図１のＡ１１）と、収容しているホットライン設定電話機（図１のａ１）から、ホットライン設定用特番，ホットライン接続元の電話機へ発信するためのアクセス番号およびホットライン接続先の電話機へ発信するためのアクセス番号を受信すると、ホットライン設定電話機からホットライン接続元の電話機への接続を回線スイッチ部に要求して呼び出し、該電話機が応答するとホットライン接続先の電話機へ発信するためのアクセス番号をホットライン用テーブルに書き込むホットライン接続設定手段（図１のＡ１２１）と、ホットライン接続元の電話機からの発呼があると、ホットライン用テーブルからホットライン接続先の電話機へ発信するためのアクセス番号を読み出してホットライン接続元の電話機からホットライン接続先の電話機への接続を回線スイッチ部に要求するホットライン接続先発信手段（図１のＡ１２２）とを備えたことを特徴とする構内交換機（図１のＡ１０）である。
【００１０】
請求項２記載の発明は、請求項１記載の発明において、構内交換機（図１のＡ１０）に収容しているホットライン解除電話機（図１のａ１）から、ホットライン解除用特番およびホットライン接続元の電話機へ発信するためのアクセス番号を受信すると、ホットライン解除電話機からホットライン接続元の電話機（図１のａ２）への接続を回線スイッチ部（図１のＡ１１）に要求して呼び出し、該電話機が応答するとホットライン接続先の電話機（図１のａ３，ｂ１）へ発信するためのアクセス番号をホットライン用テーブル（図１のＡ１３）から削除するホットライン接続解除手段（図１のＡ１２３）を備えたことを特徴とする構内交換機である。
【００１１】
請求項３記載の発明は、ホットライン接続元の電話機（図１のａ２）へ発信するためのアクセス番号対応に、ホットライン接続先の電話機（図１のａ３）へ発信するためのアクセス番号を記憶するためのホットライン用テーブル（図１のＡ１３）を構内交換機（図１のＡ１０）に設ける段階と、構内交換機に収容しているホットライン設定電話機（図１のａ１）からダイヤルされたホットライン設定用特番，ホットライン接続元の電話機へ発信するためのアクセス番号およびホットライン接続先の電話機へ発信するためのアクセス番号を受信すると、ホットライン設定電話機からホットライン接続元の電話機への接続を回線スイッチ部（図１のＡ１１）に要求する段階と、要求に応じて呼び出されたホットライン接続元の電話機が応答すると、ホットライン接続先の電話機へ発信するためのアクセス番号をホットライン用テーブルに書き込む段階と、ホットライン接続元の電話機からの発呼があると、ホットライン用テーブルからホットライン接続先の電話機へ発信するためのアクセス番号を読み出してホットライン接続元の電話機からからホットライン接続先の電話機への接続を回線スイッチ部に要求する段階とを有することを特徴とするホットライン接続方法である。
【００１２】
請求項４記載の発明は、請求項３記載の発明において、構内交換機（図１のＡ１０）に収容しているホットライン解除電話機（図１のａ１）から、ホットライン解除用特番およびホットライン接続元の電話機（図１のａ２）へ発信するためのアクセス番号を受信すると、ホットライン解除電話機からホットライン接続元の電話機への接続を回線スイッチ部（図１のＡ１１）に要求する段階と、要求に応じて呼び出されたホットライン接続元の電話機が応答すると、ホットライン接続先の電話機（図１のａ３，ｂ１）へ発信するためのアクセス番号をホットライン用テーブル（図１のＡ１３）から削除する段階とを有することを特徴とするホットライン接続方法である。
【発明の効果】
【００１３】
本発明によれば、ホットライン接続に必要な情報はホットライン接続元の電話機を収容する構内交換機に記憶しておくため、局間のホットライン接続であっても、一方の構内交換機にのみホットライン接続機能を組み込めば足りるという第１の効果を得ることができる。
【００１４】
また、ホットライン接続を設定または解除できる電話機とホットライン接続元の電話機とを分離したため、ホットライン接続元の電話機を任意に指定できるという第２の効果を得ることができる。
【発明を実施するための最良の形態】
【００１５】
本発明では、構内交換機に収容されている任意の電話機がホットライン設定の特番，ホットライン接続元電話番号およびホットライン接続先電話機へのアクセス番号をダイヤルすることにより、ホットライン接続元電話機を呼び出す。発信先のホットライン接続元電話機が応答すると、発信先電話機を収容した交換機において、ホットライン接続元電話機に対応したホットライン用テーブルにホットライン接続先電話機へのアクセス番号を書き込む。ホットライン設定の通話が終了後、ホットライン接続元電話機が発呼すると、ホットライン用テーブルに書き込まれているホットライン接続先電話機を呼び出す。
【実施例１】
【００１６】
本発明の一実施例を示す図１を参照すると、ホットライン接続元の構内交換機Ａ１０と、ホットライン接続先の構内交換機Ｂ１０とがトランクＡ１５，中継線１６およびトランクＢ１５を介して接続されている。また、構内交換機Ａ１０には、ホットライン接続の設定または解除操作を行うための電話機ａ１，ホットライン接続元の電話機ａ２およびホットライン接続先の電話機ａ３がライン回線１５を介して接続され、構内交換機Ｂ１０にはホットライン接続先の電話機ｂ１がライン回線Ｂ１４を介して接続されている。ホットライン接続元の電話機ａ２から見た場合、ホットライン接続先の電話機ａ３は局内、ホットライン接続先の電話機ｂ１は局外に位置する。
【００１７】
なお、ホットライン接続の設定または解除操作を行うための電話機，ホットライン接続元の電話機およびホットライン接続先の電話機は固定されず、例えば、電話機ａ１をホットライン接続元の電話機とし、電話機ａ２をホットライン接続の設定または解除操作を行うための電話機とすることができる。
【００１８】
構内交換機Ａ１０は回線スイッチ部Ａ１１と制御部Ａ１２を備え、構内交換機Ｂ１０は回線スイッチ部Ｂ１１と制御部Ｂ１２を備えている。これにより、構内交換機Ａ１０および構内交換機Ｂ１０は、既存の交換機と同様にラインおよびトランクの接続制御を行う。  制御部Ａ１２は、ホットライン接続設定手段Ａ１２１，ホットライン発信手段Ａ１２２およびホットライン接続解除手段Ａ１２３から成る。
【００１９】
ホットライン接続設定手段Ａ１２１は、電話機ａ１からのホットライン接続設定操作に応答してホットライン接続元の電話機ａ２とホットライン接続先の電話機との間のホットライン接続を設定するための制御を行う。ホットライン発信手段Ａ１２２は、設定されたホットライン接続により、ホットライン接続元の電話機ａ２がホットライン接続先電話機を呼び出すための制御を行う。ホットライン接続解除手段Ａ１２３は、電話機ａ１からのホットライン接続設定操作に応答してホットライン接続元の電話機ａ２とホットライン接続先の電話機との間のホットライン接続を解除するための制御を行う。
【００２０】
構内交換機Ａ１０にはホットライン用テーブルＡ１３が設けられている。ホットライン用テーブルＡ１３は、ホットライン接続先の電話機のアクセス番号を記憶する。このアクセス番号は、ホットライン接続設定手段Ａ１２１によって設定され、ホットライン発信時にホットライン発信手段Ａ１２２によって使用され、ホットライン接続解除手段Ａ１２３によって削除される。図１では、電話機ａ１をホットライン接続元の電話機とした場合のホットライン接続先電話機のアクセス番号Ａ１３１と、電話機ａ２をホットライン接続元の電話機とした場合のホットライン接続先電話機のアクセス番号Ａ１３２とが例示されている。
【００２１】
図２は局内のホットライン接続を設定するための制御フローである。先ず、電話機ａ１がホットライン設定用特番をダイヤルする（ステップＳ１）。これにより、ホットライン接続設定手段Ａ１２１が機能することとなる。ホットライン接続設定手段Ａ１２１はホットライン設定用特番を受信し、次のダイヤル番号の受信を待つ（ステップＳ２）。
【００２２】
電話機ａ１がホットライン接続元の電話機ａ２へ発信するためのアクセス番号をダイヤルすると（ステップＳ３）、ホットライン接続設定手段Ａ１２１はホットライン接続元の電話機ａ２へのアクセス番号を受信し、次のダイヤル番号の受信を待つ（ステップＳ４）。
【００２３】
電話機ａ１はホットライン接続元電話機ａ２からホットライン接続先の電話機ａ３へ発信するためのアクセス番号をダイヤルする（ステップＳ５）。この操作により、ホットライン接続設定手段Ａ１２１はホットライン接続先電話機ａ３へのアクセス番号を受信する（ステップＳ６）。すると、ホットライン接続設定手段Ａ１２１は回線スイッチ部Ａ１１に対して電話機ａ１から電話機ａ２への接続を要求し、回線スイッチ部Ａ１１が電話機ａ１から電話機ａ２への呼び出しを行う（ステップＳ７）。
【００２４】
電話機ａ２は電話機ａ１からの着信に応答する（ステップＳ８）。この操作により、ホットライン接続設定手段Ａ１２１がホットライン用テーブルＡ１３にホットライン接続先電話機へのアクセス番号を書き込む（ステップＳ９）。このアクセス番号は、図１の例では、電話機ａ３または電話機ｂ１のアクセス番号である。以上で、ホットライン接続を設定するための手順が終了する（ステップＳ１０）。
【００２５】
図３はホットライン設定後のホットライン接続を発信する制御フローである。ホットライン接続元の電話機ａ２が発呼すると（ステップＴ１）、ホットライン接続先発信手段Ａ１３３が電話機ａ２のホットライン用テーブルＡ１３からホットライン接続先の電話機（ａ３またはｂ１）へのアクセス番号を読み出す（ステップＴ２）。
【００２６】
ホットライン接続先発信手段Ａ１３２は、読み出したアクセス番号に対応して、電話機ａ２から電話機ａ３またはｂ１への接続を回線スイッチ部Ａ１１に対して要求し、回線スイッチ部Ａ１１が電話機ａ２から電話機ａ３または電話機ｂ１への呼び出しを行う（ステップＴ３）。このようにして、電話機ａ２から電話機ａ３または電話機ｂ１へのホットライン接続が行われる。
【００２７】
図４は、ホットライン接続を解除するための制御フローである。先ず、電話機ａ１はホットライン解除用特番をダイヤルする（ステップＵ１）。これにより、ホットライン接続解除手段Ａ１２３が機能することとなる。ホットライン接続解除手段Ａ１２３はホットライン設定用特番を受信し、次のダイヤル番号の受信を待つ（ステップＵ２）。
【００２８】
電話機ａ１がホットライン接続元電話機ａ２へ発信するためのアクセス番号をダイヤルすると（ステップＵ３）、ホットライン接続解除手段Ａ１２３はホットライン接続先の電話機ａ２へのアクセス番号を受信する（ステップＵ４）。すると、ホットライン接続解除手段Ａ１２３は回線スイッチ部Ａ１１に対して、電話機ａ１から電話機ａ２への接続を要求し、回線スイッチ部Ａ１１は電話機ａ１から電話機ａ２への呼び出しを行う（ステップＵ５）。
【００２９】
電話機ａ２は電話機ａ１からの着信に応答する（ステップＵ６）。この操作により、ホットライン接続解除手段Ａ１２３が電話機ａ２のホットライン用テーブルＡ１３の設定内容を削除する（ステップＵ７）。削除される設定内容は、図２のステップＡ９において書き込まれたものである。以上で、ホットライン接続を解除するための手順が終了する（ステップＵ８）。
【図面の簡単な説明】
【００３０】
【図１】本発明のホットライン接続方法が適用されるネットワーク構成図
【図２】ホットライン接続を設定するための制御フローチャート
【図３】ホットライン接続の発信をするための制御フローチャート
【図４】ホットライン接続を解除するための制御フローチャート
【符号の説明】
【００３１】
Ａ１０，Ｂ１０          構内交換機
Ａ１１，Ｂ１１          回線スイッチ
Ａ１２，Ｂ１２          制御部
Ａ１３                  ホットライン用テーブル
Ａ１４，Ｂ１４          ライン回線
Ａ１５，Ｂ１５          トランク
１６                    中継線
Ａ１２１                ホットライン接続設定手段
Ａ１２２                ホットライン接続先発信手段
Ａ１２３                ホットライン接続解除手段
ａ１，ａ２，ａ３，ｂ１  電話機
【図１】
2005333346.tif 000003
【図２】
2005333346.tif 000004
【図３】
2005333346.tif 000005
【図４】
2005333346.tif 000006